(57)【要約】      （修正有）【課題】おもちゃを効果的に収納できて、収納すると同時に消毒ランプで消毒を行うことができる幼稚園用のおもちゃ収納箱を提供する。【解決手段】筐体１も含めて、筐体の上部には箱の蓋２が設置されている。箱蓋前後の側面には、手把持部２１１が設置されており、箱蓋の下側にはリブ２０１が設けられていて、リブと筐体の内表面にぴったり合う。箱蓋の底部にはファスナー３があって、ファスナーには、開口部があって、ファスナーの中に、消毒ランプ４がある。箱蓋の上部には接続がある消毒ランプの供給端子５が設置されている。箱の前の端面の下部に取り出しタンク９が設置される。取り出しタンクの左右両側に2つのL形ガイドの条７をセットに設定される。2つのガイドの条の間には、閉鎖的な取り出しタンクの密封板８を使用している。密封板のパネルに力を施するブロック８１１が設定される。力を施するブロック二つが左右対称に設定される。箱の上部エッジ部には、密封条１１１が設置されている。【選択図】図１
0003206633.tif 000002
【実用新案登録請求の範囲】
【請求項１】
おもちゃ収納箱において、
筐体も含めて、筐体の上部には箱の蓋が設置されており、箱蓋前後の側面には、手ほじるが設置されており、箱蓋の下側にはリブが設けられていて、リブと筐体の内表面にぴったり合い、箱蓋の底部にはリングカードファスナーがあって、リングカードファスナーが開口部があって、リングカードファスナーの中に、消毒ランプがあり、箱蓋の上部には接続がある消毒ランプの供給端子が設置されており、箱の前の端面の下部に取り出しタンクが設置され、取り出しタンクの左右両側に2つのL形のレールをセットに設定され、2つのガイドの条の間には、閉鎖的な取り出しタンクの密封板を使用しており、密封板のパネルに力を施するブロックが設定され、力を施するブロック二つが左右対称に設定され、箱の上部エッジ部には、箱蓋と配合された密封条が設置されており、箱の前にはおもちゃ投入口の形がたくさん設置されており、箱の左右の両端の上部に端部が設置されていて、端部にレバーを設置して、レバーを上向きへ傾けて設置して、箱の底にはフーブが設置されていて、フーブにはユニバーサルホイールが設置されており、フーブには、ユニバーサルホイールに限定されている回転限位が設置される
ことを特徴とするおもちゃ収納箱。
【考案の詳細な説明】
【技術分野】
【０００１】
この実用新案は、幼稚園用のおもちゃ収納箱に関するものだ。
【背景技術】
【０００２】
幼稚園内のおもちゃは公用ですから、それぞれの子がおもちゃと直接接触して、おもちゃの表面に細菌が繁殖しやすい。タイムリーにおもちゃを消毒して処理すると、交差感染になり、また既存技術のおもちゃは簡単に箱内に積んでいるだけで、箱内の衛生は保証しなくて、細菌を繁殖しやすい。
【考案の概要】
【考案が解決しようとする課題】
【０００３】
この実用新案は技術的問題を解決するのは一種の幼稚園用のおもちゃ収納箱を提供することで、この申請がおもちゃを効果的に収納できて、収納する同時に消毒ランプで消毒を行うことができる。おもちゃの表面の細菌を減らし、安全性を確保し、交差感染を避ける。取り出しタンクを通じておもちゃの取り出しやすい。そのためもっと大きい箱の構造体積が設計できて、多くのおもちゃが填装できる。設置の密封条が箱の蓋と箱の配合いっそう強固にして、違い形のおもちゃ投入口を設置して、違う形のおもちゃに対応できる。子供はおもちゃの形によって違い形のおもちゃ投入口を選択して投入を行って、子供の興味を増やして、子供の知能と着手能力を高める。この申請の構造は比較的簡単で、コストが安くて、普及に使用することに適する。
【課題を解決するための手段】
【０００４】
上記課題を解決するために、実用新案は、以下の技術的スキームを採用する。
【０００５】
一種の幼稚園用のおもちゃ収納箱の特徴は以下の点がある。筐体も含めて、筐体の上部には箱の蓋が設置されている。箱蓋前後の側面には、手ほじるが設置されており、箱蓋の下側にはリブが設けられていて、リブと筐体の内表面にぴったり合う。箱蓋の底部にはリングカードファスナーがあって、リングカードファスナーが開口部があって、リングカードファスナーの中に、消毒ランプがある。箱蓋の上部には接続がある消毒ランプの供給端子が設置されている。箱の前の端面の下部に取り出しタンクが設置される。取り出しタンクの左右両側に2つのL形のレールをセットに設定される。2つのガイドの条の間には、閉鎖的な取り出しタンクの密封板を使用している。密封板のパネルに力を施するブロックが設定される。力を施するブロック二つが左右対称に設定される。箱の上部エッジ部には、箱蓋と配合された密封条が設置されている。箱の前にはおもちゃ投入口の形がたくさん設置されている。箱の左右の両端の上部に端部が設置されていて、端部にレバーを設置して、レバーを上向きへ傾けて設置して、箱の底にはフーブが設置されていて、フーブにはユニバーサルホイールが設置されており、フーブには、ユニバーサルホイールに限定されている回転限位が設置される。
【０００６】
優先的に、おもちゃ投入口の形は正方形、三角形と円形だ。
【０００７】
優先的に、ユニバーサルホイールが4個以上設置されておることだ
【０００８】
優先的に、密封板と取り出しタンクの正面は長方形で、密封板の表面面積は、取り出しタンクの正面より大きい。
【０００９】
優先的に、リングカードのファスナーは3個以上がある。
【００１０】
優先的に、筐体の表面積と箱の蓋の底部の表面積が同じだ。
【考案の効果】
【００１１】
この実用新案の有益な効果がある。この申請がおもちゃを効果的に収納できて、収納する同時に消毒ランプで消毒を行うことができる。おもちゃの表面の細菌を減らし、安全性を確保し、交差感染を避ける。取り出しタンクを通じておもちゃの取り出しやすい。そのためもっと大きい箱の構造体積が設計できて、多くのおもちゃが填装できる。設置の密封条が箱の蓋と箱の配合いっそう強固にして、違い形のおもちゃ投入口を設置して、違う形のおもちゃに対応できる。子供はおもちゃの形によって違い形のおもちゃ投入口を選択して投入を行って、子供の興味を増やして、子供の知能と着手能力を高める。この申請の構造は比較的簡単で、コストが安くて、普及に使用することに適する。
【図面の簡単な説明】
【００１２】
【図１】この実用新案の構造図だ。
【考案を実施するための形態】
【００１３】
この実用新案の長所と特徴は、領域技術者に理解することができるために、この実用新案の優先実施例について付図を結合して詳しく述べて、この実用新案の保護範囲はもっと明確な定義を明確にする。
【００１４】
図1に示す一種の幼稚園用のおもちゃ収納箱の特徴は以下の点がある。筐体１も含めて、筐体１の上部には箱の蓋２が設置されている。箱蓋２前後の側面には、手ほじる２１１が設置されており、箱蓋２の下側にはリブ２０１が設けられていて、リブ２０１と筐体１の内表面にぴったり合う。箱蓋２の底部にはリングカードファスナー３があって、リングカードファスナーが３開口部「未図示」があって、リングカードファスナー３の中に、消毒ランプ４がある。箱蓋２の上部には接続がある消毒ランプ４の供給端子５が設置されている。筐体１の前の端面の下部に取り出しタンク９が設置される。取り出しタンク９の左右両側に2つのL形ガイドの条７をセットに設定される。2つのガイドの条７の間には、閉鎖的な取り出しタンク９の密封板８を使用している。密封板８のパネルに力を施するブロック８１１が設定される。力を施するブロック８１１二つが左右対称に設定される。箱１の上部エッジ部には、箱蓋２と配合された密封条１１１が設置されている。箱１の前にはおもちゃ投入口１１の形がたくさん設置されている。箱１の左右の両端の上部に端部１２１が設置されていて、端部１２１にレバー１３１を設置して、レバー１３１を上向きへ傾けて設置して、箱１の底にはフーブ６が設置されていて、フーブ６にはユニバーサルホイール６１が設置されており、フーブ６には、ユニバーサルホイール６１に限定されている回転限位６２が設置される。
【００１５】
本実用新型には1つの良い実施例があって、おもちゃ投入口の形は正方形、三角形と円形だ。
【００１６】
本実用新型には1つの良い実施例があって、ユニバーサルホイールが4個以上設置されておることだ
【００１７】
本実用新型には1つの良い実施例があって、密封板と取り出しタンクの正面は長方形で、密封板の表面面積は、取り出しタンクの正面より大きい。
【００１８】
本実用新型には1つの良い実施例があって、リングカードのファスナーは3個以上がある。
【００１９】
本実用新型には1つの良い実施例があって、筐体の表面積と箱の蓋の底部の表面積が同じだ
【００２０】
この実用新案の有益な効果がある。この申請がおもちゃを効果的に収納できて、収納する同時に消毒ランプで消毒を行うことができる。おもちゃの表面の細菌を減らし、安全性を確保し、交差感染を避ける。取り出しタンクを通じておもちゃの取り出しやすい。そのためもっと大きい箱の構造体積が設計できて、多くのおもちゃが填装できる。設置の密封条が箱の蓋と箱の配合いっそう強固にして、違い形のおもちゃ投入口を設置して、違う形のおもちゃに対応できる。子供はおもちゃの形によって違い形のおもちゃ投入口を選択して投入を行って、子供の興味を増やして、子供の知能と着手能力を高める。この申請の構造は比較的簡単で、コストが安くて、普及に使用することに適する。
【００２１】
以上はこの実用新案の基本原理、主な特徴や利点をの表示して説明する。当業界の技術者は理解べきで、この実用新案が上記実施例の制限を受けない。上記実施例や説明書には、この実用新案の原理だけが説明して、この実用新案の精神と範囲の前提を離れない前提で、この実用新案が各種変化と改善もある。これらの変化と改善が保護のこの実用新案の範囲に落ちる。本実用新型は、保護範囲に寄附する権利の要求書及び等しいもので定義する。
【図１】
0003206633.tif 000003
【手続補正書】
【提出日】平成28年7月21日(2016.7.21)
【手続補正１】
【補正対象書類名】実用新案登録請求の範囲
【補正対象項目名】全文
【補正方法】変更
【補正の内容】
【実用新案登録請求の範囲】
【請求項１】
おもちゃ収納箱において、
筐体も含めて、筐体の上部には箱の蓋が設置されており、箱蓋前後の側面には、手把持部が設置されており、箱蓋の下側にはリブが設けられていて、リブと筐体の内表面にぴったり合い、箱蓋の底部にはファスナーがあって、ファスナーには開口部があって、ファスナーの中に、消毒ランプがあり、箱蓋の上部には接続がある消毒ランプの供給端子が設置されており、箱の前の端面の下部に取り出しタンクが設置され、取り出しタンクの左右両側に2つのL形のレールをセットに設定され、2つのガイドの条の間には、閉鎖的な取り出しタンクの密封板を使用しており、密封板のパネルに力を施するブロックが設定され、力を施するブロック二つが左右対称に設定され、箱の上部エッジ部には、箱蓋と配合された密封条が設置されており、箱の前にはおもちゃ投入口の形がたくさん設置されており、箱の左右の両端の上部に端部が設置されていて、端部にレバーを設置して、レバーを上向きへ傾けて設置して、箱の底にはフーブが設置されていて、フーブにはユニバーサルホイールが設置されており、フーブには、ユニバーサルホイールに限定されている回転限位が設置される
ことを特徴とするおもちゃ収納箱。